(57)【要約】【課題】  隔離キャビティーを具えた注射器の提供。【解決手段】  中空構造を具えた主体とプランジャアセンブリを包含し、プランジャアセンブリは主体の中空構造内にプラグインされる。上述の主体の中空構造の特定位置に少なくとも二つの隔離キャビティーが設けられ、且つ第１隔離キャビティーと第２隔離キャビティーの間に少なくとも一つの導流路が設けられている。上述のプランジャアセンブリは長直桿、第１特定内径を具えたピストンヘッドと少なくとも二つの係止部品を具えている。【選択図】        図１
2006026403.tif 000002
【特許請求の範囲】
【請求項１】
隔離キャビティーを具えた注射器において、該隔離キャビティーを具えた注射器は、
中空構造を具えた主体であって、該主体の第一端は第１特定内径を具えた開口とされ、該主体の第２端は外向きに延伸されて第１特定内径より小さい第２特定内径を具えたノズルを形成し、該中空構造は特定外径を具えた第１側壁と第１特定内径を具えた第２側壁で形成された、上記主体と、
該主体の中空構造内にプラグインされるプランジャアセンブリであって、該プランジャアセンブリは長直桿と第１特定内径を具えた複数のピストンヘッドを包含し、該長直桿の第１端は該プランジャアセンブリを押し引きする押し引き部分とされ、且つ複数のピストンヘッドの第１ピストンヘッドは該長直桿の第２端と接続され、複数の該ピストンヘッドのその他のピストンヘッドは該中空構造内に位置し並びに特定距離を以て該第１ピストンヘッドより順に配列されて該主体の該中空構造を区画し並びにこれにより複数の隔離キャビティーを形成する、上記プランジャアセンブリと、
を包含し、各隔離キャビティーがそれぞれ導流路を具え、該導流路が各隔離キャビティーの内部真空状態を破壊し並びに流体を案内するのに用いられ、且つ該導流路が各隔離キャビティーのある主体の第２側壁表面に形成されたことを特徴とする、隔離キャビティーを具えた注射器。
【請求項２】
請求項１記載の隔離キャビティーを具えた注射器において、導流路が凹溝状トレンチを包含し、該凹溝状トレンチの厚さが第１特定内径と特定外径の差の値より小さく、該凹溝状トレンチの長さが各ピストンヘッドの厚さより大きく複数のピストンヘッドの総厚さより小さいことを特徴とする、隔離キャビティーを具えた注射器。
【請求項３】
請求項１記載の隔離キャビティーを具えた注射器において、導流路が連通管を包含し、該連通管の両端がそれぞれ各隔離キャビティーのある主体の第１側壁と第２側壁の表面を貫通して各隔離キャビティー内部に連通し、該連通管の各隔離キャビティーに連通する両端の距離が各ピストンヘッドの厚さより大きく複数のピストンヘッドの総厚さより小さいことを特徴とする、隔離キャビティーを具えた注射器。
【請求項４】
請求項１記載の隔離キャビティーを具えた注射器において、長直桿の側壁の対向位置に少なくとも二つの係止部品が設けられ、該長直桿が該少なくとも二つの係止部品により主体の開口の表面に圧接して複数のピストンヘッドが外力の影響がない状態で複数の隔離キャビティー内の真空負圧の牽引を受けて自己推進することが防止され、各係止部品が更に一組の弾性アセンブリと側翼を包含し、該長直桿の側壁の対向位置に孔が設けられて各係止部品の側翼が該孔中を伸縮可能とされたことを特徴とする、隔離キャビティーを具えた注射器。
【請求項５】
隔離キャビティーを具えた注射器において、該隔離キャビティーを具えた注射器は、
中空構造を具えた主体であって、該主体の第一端は第１特定内径を具えた開口とされ、該主体の第２端は外向きに延伸されて第１特定内径より小さい第２特定内径を具えたノズルを形成し、該中空構造は特定外径を具えた第１側壁と第１特定内径を具えた第２側壁で形成され、該中空構造の第２側壁の表面に少なくとも一つのガイドレールがあり、該ガイドレールが第２特定距離を以て一部が第２側壁の表面より露出した、上記主体と、
該主体の中空構造内にプラグインされるプランジャアセンブリであって、該プランジャアセンブリは長直桿と第１特定内径を具えた第１ピストンヘッドと複数の第２ピストンヘッドを包含し、該長直桿の第１端は該プランジャアセンブリを押し引きする押し引き部分とされ、且つ第１ピストンヘッドは該長直桿の第２端と接続された、上記プランジャアセンブリを包含し、
該第１ピストンヘッドの各第２ピストンヘッドの外表面に少なくとも一つの凹溝が設けられて少なくとも一つのガイドレールと嵌合し、該複数の第２ピストンヘッドが第２特定距離を以て、第１ピストンヘッドより順に該中空構造内に配置されて中空構造を区画して複数の隔離キャビティーを形成したことを特徴とする、隔離キャビティーを具えた注射器。
【請求項６】
請求項５記載の隔離キャビティーを具えた注射器において、ガイドレールに複数の凸柱が設けられ、該凸柱が同一直線上に位置し、該複数の凸柱の間が第１特定距離を以て相互に離間して第２側壁の一部表面を露出させ、複数の第２ピストンヘッドの厚さが第１特定距離より小さく、並びに第１ピストンヘッドと任意の第２ピストンヘッドの総厚さが第１特定距離よりも大きいことを特徴とする、隔離キャビティーを具えた注射器。
【請求項７】
請求項５記載の隔離キャビティーを具えた注射器において、第２特定距離が各隔離キャビティーの長さとされたことを特徴とする、隔離キャビティーを具えた注射器。
【請求項８】
請求項５記載の隔離キャビティーを具えた注射器において、長直桿の側壁の対向位置に少なくとも二つの係止部品が設けられ、該長直桿が該少なくとも二つの係止部品により主体の開口の表面に圧接して複数のピストンヘッドが外力の影響がない状態で中空構造の真空負圧の牽引を受けて自己推進することが防止され、各係止部品が更に一組の弾性アセンブリと側翼を包含し、該長直桿の側壁の対向位置に孔が設けられて各係止部品の側翼が該孔中を伸縮可能とされたことを特徴とする、隔離キャビティーを具えた注射器。
【請求項９】
隔離キャビティーを具えた注射器において、該隔離キャビティーを具えた注射器は、
中空構造を具えた主体であって、該主体の第一端は第１特定内径を具えた開口とされ、該主体の第２端は外向きに延伸されて第１特定内径より小さい第２特定内径を具えたノズルを形成し、該中空構造は特定外径を具えた第１側壁と第１特定内径を具えた第２側壁で形成され、該中空構造の第２側壁の表面に少なくとも一つの突起がある、上記主体と、
該主体の中空構造内にプラグインされるプランジャアセンブリであって、該プランジャアセンブリは長直桿と第１特定内径を具えた第１ピストンヘッドと第２ピストンヘッドを包含し、該長直桿の第１端は該プランジャアセンブリを押し引きする押し引き部分とされ、且つ第１ピストンヘッドは該長直桿の第２端と接続された、上記プランジャアセンブリを包含し、
該第２ピストンヘッドが第１ピストンヘッドと第２特定距離を該中空構造内で維持して該中空構造を区画して第１隔離キャビティーと第２隔離キャビティーを構成したことを特徴とする、隔離キャビティーを具えた注射器。
【請求項１０】
請求項９記載の隔離キャビティーを具えた注射器において、長直桿の側壁の対向位置に少なくとも二つの係止部品が設けられ、該長直桿が該少なくとも二つの係止部品により主体の開口の表面に圧接して複数のピストンヘッドが外力の影響がない状態で中空構造の真空負圧の牽引を受けて自己推進することが防止され、各係止部品が更に一組の弾性アセンブリと側翼を包含し、該長直桿の側壁の対向位置に孔が設けられて各係止部品の側翼が該孔中を伸縮可能とされ、第２隔離キャビティーが少なくとも一つの突起のある主体の一部中空構造とされ、且つ第２特定内径を具えたノズルと連通することを特徴とする、隔離キャビティーを具えた注射器。
【発明の詳細な説明】
【技術分野】
【０００１】
本発明は一種の注射器に係り、特に隔離キャビティーを具えた注射器に関する。
【背景技術】
【０００２】
多くの医療情況下にあって、診療期間に患者の体内に注入する必要がある。医療用注射器は注射と抜き取りの形式で使用される。伝統的に、注射器を使用しニードルにより薬物を静脈或いは相似組織内に注入する時、走査者は注射器を片手で握持し、且つ同一の手の手指と親指でプランジャを押圧して注射器のシリンジ中に進入させなければならない。皮下注射では、三種類の典型的な注射方式がある。第１種の典型的な形式は人体脂肪エリア或いは脂肪組織の皮下注射で、通常、このような形式はＳｕｂ−Ｑ注射と称される。第２種の典型的な形式は皮下注射器を直接静脈中への注入に応用するもので、通常、このような形式はＩＶ、或いは静脈内注射（ｉｎｔｒａｖｅｎｏｕｓ  ｉｎｊｅｃｔｉｏｎ）と称される。第３種の典型的な形式は皮下注射器を筋肉エリア中への注入に応用するもので、通常、このような形式はＩＭ注射、或いは筋肉内注射（ｉｎｔｒａｍｕｓｃｕｌａｒ  ｉｎｊｅｃｔｉｏｎ）と称される。一般に薬剤は流体或いは粉剤を包含する。あるものは注射により人体に投与されなければならず、その組成は希釈液に可溶の冷凍乾燥粉剤を包含する。またある薬物は先に希釈液と粉剤を混合すると非常に急速に薬性退化の情況を発生するため、このような薬物の希釈液と粉剤は使用直前に混合しなければならない。伝統的な方法では、先ず希釈液と粉剤を同時に混合して薬剤を形成し、並びに即刻薬剤を注射器に移して注射する。これを鑑みると、いかに異なる薬剤を隔離できる注射器を設計して使用者の便利さに対する要求に符合させるかが、現在の改良の重点の一つとなっている。
【発明の開示】
【発明が解決しようとする課題】
【０００３】
上述の従来の技術を鑑み、医療産業の現行の注射器に対する便利性の要求を満足させるため、本発明は一種の隔離キャビティーを具えた注射器を提供し、それは使用者の便利さに対する要求を満足させるのみならず、産業上の経済効果を達成できるものである。
【０００４】
本発明の目的は一種の隔離キャビティーを具えた注射器を提供することにあり、それは、異なる薬剤を内部で隔離でき、注射が必要である時に混合して注射を行うことができるものとする。本発明は少なくとも一つの導流路と少なくとも二つの隔離部品により少なくとも二つの隔離キャビティー（ｓｅｐａｒａｔｉｎｇ  ｃａｖｉｔｙ）を注射器の中空主体中に形成し、そのうち、上述の少なくとも一つの導流路は少なくとも二つの隔離キャビティーの真空状態を破壊するのに用いられ、且つ少なくとも二種類の薬剤が、少なくとも一つの導流路により混合された後に注射される。このほか、本発明はまた耐真空負圧の設計を提供してプランジャアセンブリが外力の影響が無い情況で隔離キャビティー内の真空負圧の牽引により隔離部品を自己押動して薬剤の混合をもたらし且つ隔離キャビティーを具えた注射器より流出させるのを防止する。これにより本発明は同一注射器内に異なる薬剤を予め隔離共存させる標的を達成する。これにより、本発明が解決しようとする課題は医療と生化産業の要求に符合する。
【０００５】
本発明は一種の隔離キャビティーを具えた注射器を提供し、それは中空構造を具えた主体とプランジャアセンブリを具え、プランジャアセンブリはプラグインされる。上述の主体の中空構造は特定外径を具えた第１側壁と、第１特定内径を祖なせた第２側壁で形成され、主体の第１端は第１特定内径を具えた開口とされ、主体の第２端は外向きに延伸されて第２特定内径を具えたノズルを形成し、そのうち、第２特定内径は第１特定内径より小さい。上述の主体の中空構造の特定位置に少なくとも二つの隔離キャビティーがあり、且つ第２隔離キャビティーは第２特定内径を具えたノズルと連通し、そのうち、第２隔離キャビティーは少なくとも一つの導流路を具えている。上述のプランジャアセンブリは長直桿（ｓｔｒａｉｇｈｔ  ｅｌｏｎｇａｔｅｄ  ｓｔｅｍ）、少なくとも二つの第１特定内径を具えたピストンヘッド、及び少なくとも二つの係止部品を包含する。上述の長直桿の第１端はプランジャアセンブリを押し引きする部品とされ、且つ長直桿の第２端は第１特定内径を具えた第１ピストンヘッドと接続され、第２ピストンヘッドは第２隔離キャビティーと第１隔離キャビティーの境界部分に位置し、そのうち、第１ピストンヘッドは第１隔離キャビティーの主体の開口に向いた位置に位置し、これにより、第１ピストンヘッドと第２ピストンヘッドは隔離部品とされて中空構造の第１隔離キャビティーと第２隔離キャビティーを隔離する。このほか、上述の少なくとも二つの係止部品は長直桿の側壁の対向位置に設けられ、長直桿に主体の中空構造の特定位置において安定した平衡状態を形成させる。
【課題を解決するための手段】
【０００６】
請求項１の発明は、隔離キャビティーを具えた注射器において、該隔離キャビティーを具えた注射器は、
中空構造を具えた主体であって、該主体の第一端は第１特定内径を具えた開口とされ、該主体の第２端は外向きに延伸されて第１特定内径より小さい第２特定内径を具えたノズルを形成し、該中空構造は特定外径を具えた第１側壁と第１特定内径を具えた第２側壁で形成された、上記主体と、
該主体の中空構造内にプラグインされるプランジャアセンブリであって、該プランジャアセンブリは長直桿と第１特定内径を具えた複数のピストンヘッドを包含し、該長直桿の第１端は該プランジャアセンブリを押し引きする押し引き部分とされ、且つ複数のピストンヘッドの第１ピストンヘッドは該長直桿の第２端と接続され、複数の該ピストンヘッドのその他のピストンヘッドは該中空構造内に位置し並びに特定距離を以て該第１ピストンヘッドより順に配列されて該主体の該中空構造を区画し並びにこれにより複数の隔離キャビティーを形成する、上記プランジャアセンブリと、
を包含し、各隔離キャビティーがそれぞれ導流路を具え、該導流路が各隔離キャビティーの内部真空状態を破壊し並びに流体を案内するのに用いられ、且つ該導流路が各隔離キャビティーのある主体の第２側壁表面に形成されたことを特徴とする、隔離キャビティーを具えた注射器としている。
請求項２の発明は、請求項１記載の隔離キャビティーを具えた注射器において、導流路が凹溝状トレンチを包含し、該凹溝状トレンチの厚さが第１特定内径と特定外径の差の値より小さく、該凹溝状トレンチの長さが各ピストンヘッドの厚さより大きく複数のピストンヘッドの総厚さより小さいことを特徴とする、隔離キャビティーを具えた注射器としている。
請求項３の発明は、請求項１記載の隔離キャビティーを具えた注射器において、導流路が連通管を包含し、該連通管の両端がそれぞれ各隔離キャビティーのある主体の第１側壁と第２側壁の表面を貫通して各隔離キャビティー内部に連通し、該連通管の各隔離キャビティーに連通する両端の距離が各ピストンヘッドの厚さより大きく複数のピストンヘッドの総厚さより小さいことを特徴とする、隔離キャビティーを具えた注射器としている。
請求項４の発明は、請求項１記載の隔離キャビティーを具えた注射器において、長直桿の側壁の対向位置に少なくとも二つの係止部品が設けられ、該長直桿が該少なくとも二つの係止部品により主体の開口の表面に圧接して複数のピストンヘッドが外力の影響がない状態で複数の隔離キャビティー内の真空負圧の牽引を受けて自己推進することが防止され、各係止部品が更に一組の弾性アセンブリと側翼を包含し、該長直桿の側壁の対向位置に孔が設けられて各係止部品の側翼が該孔中を伸縮可能とされたことを特徴とする、隔離キャビティーを具えた注射器としている。
請求項５の発明は、隔離キャビティーを具えた注射器において、該隔離キャビティーを具えた注射器は、
中空構造を具えた主体であって、該主体の第一端は第１特定内径を具えた開口とされ、該主体の第２端は外向きに延伸されて第１特定内径より小さい第２特定内径を具えたノズルを形成し、該中空構造は特定外径を具えた第１側壁と第１特定内径を具えた第２側壁で形成され、該中空構造の第２側壁の表面に少なくとも一つのガイドレールがあり、該ガイドレールが第２特定距離を以て一部が第２側壁の表面より露出した、上記主体と、
該主体の中空構造内にプラグインされるプランジャアセンブリであって、該プランジャアセンブリは長直桿と第１特定内径を具えた第１ピストンヘッドと複数の第２ピストンヘッドを包含し、該長直桿の第１端は該プランジャアセンブリを押し引きする押し引き部分とされ、且つ第１ピストンヘッドは該長直桿の第２端と接続された、上記プランジャアセンブリを包含し、
該第１ピストンヘッドの各第２ピストンヘッドの外表面に少なくとも一つの凹溝が設けられて少なくとも一つのガイドレールと嵌合し、該複数の第２ピストンヘッドが第２特定距離を以て、第１ピストンヘッドより順に該中空構造内に配置されて中空構造を区画して複数の隔離キャビティーを形成したことを特徴とする、隔離キャビティーを具えた注射器としている。
請求項６の発明は、請求項５記載の隔離キャビティーを具えた注射器において、ガイドレールに複数の凸柱が設けられ、該凸柱が同一直線上に位置し、該複数の凸柱の間が第１特定距離を以て相互に離間して第２側壁の一部表面を露出させ、複数の第２ピストンヘッドの厚さが第１特定距離より小さく、並びに第１ピストンヘッドと任意の第２ピストンヘッドの総厚さが第１特定距離よりも大きいことを特徴とする、隔離キャビティーを具えた注射器としている。
請求項７の発明は、請求項５記載の隔離キャビティーを具えた注射器において、第２特定距離が各隔離キャビティーの長さとされたことを特徴とする、隔離キャビティーを具えた注射器としている。
請求項８の発明は、請求項５記載の隔離キャビティーを具えた注射器において、長直桿の側壁の対向位置に少なくとも二つの係止部品が設けられ、該長直桿が該少なくとも二つの係止部品により主体の開口の表面に圧接して複数のピストンヘッドが外力の影響がない状態で中空構造の真空負圧の牽引を受けて自己推進することが防止され、各係止部品が更に一組の弾性アセンブリと側翼を包含し、該長直桿の側壁の対向位置に孔が設けられて各係止部品の側翼が該孔中を伸縮可能とされたことを特徴とする、隔離キャビティーを具えた注射器としている。
請求項９の発明は、隔離キャビティーを具えた注射器において、該隔離キャビティーを具えた注射器は、
中空構造を具えた主体であって、該主体の第一端は第１特定内径を具えた開口とされ、該主体の第２端は外向きに延伸されて第１特定内径より小さい第２特定内径を具えたノズルを形成し、該中空構造は特定外径を具えた第１側壁と第１特定内径を具えた第２側壁で形成され、該中空構造の第２側壁の表面に少なくとも一つの突起がある、上記主体と、
該主体の中空構造内にプラグインされるプランジャアセンブリであって、該プランジャアセンブリは長直桿と第１特定内径を具えた第１ピストンヘッドと第２ピストンヘッドを包含し、該長直桿の第１端は該プランジャアセンブリを押し引きする押し引き部分とされ、且つ第１ピストンヘッドは該長直桿の第２端と接続された、上記プランジャアセンブリを包含し、
該第２ピストンヘッドが第１ピストンヘッドと第２特定距離を該中空構造内で維持して該中空構造を区画して第１隔離キャビティーと第２隔離キャビティーを構成したことを特徴とする、隔離キャビティーを具えた注射器としている。
請求項１０の発明は、請求項９記載の隔離キャビティーを具えた注射器において、長直桿の側壁の対向位置に少なくとも二つの係止部品が設けられ、該長直桿が該少なくとも二つの係止部品により主体の開口の表面に圧接して複数のピストンヘッドが外力の影響がない状態で中空構造の真空負圧の牽引を受けて自己推進することが防止され、各係止部品が更に一組の弾性アセンブリと側翼を包含し、該長直桿の側壁の対向位置に孔が設けられて各係止部品の側翼が該孔中を伸縮可能とされ、第２隔離キャビティーが少なくとも一つの突起のある主体の一部中空構造とされ、且つ第２特定内径を具えたノズルと連通することを特徴とする、隔離キャビティーを具えた注射器としている。
【発明の効果】
【０００７】
本発明の隔離キャビティーを具えた注射器は、異なる薬剤を内部で隔離でき、注射が必要である時に混合して注射を行うことができる。本発明は同一注射器内に異なる薬剤を予め隔離共存させる標的を達成し、医療と生化産業の要求に符合する。
【発明を実施するための最良の形態】
【０００８】
本発明の検討する方向は隔離キャビティーを具えた注射器であり、徹底的に本発明をご理解いただくため、以下の記述中に詳細な構造部品を提出している。しかし、本発明の実行は注射器の技術に詳しい者が知るところの特殊な細部に限定されない。また、周知の部品については特に詳細には記述せず、本発明に不必要な制限を形成するのを防止している。本発明の好ましい実施例は以下の記述のようであるが、これらの詳しい記述のほか、本発明は更にその他の実施例中で実施可能であり、且つ本発明の範囲は以下の実施例に限定されず、特許請求の範囲の記載に準じるものとする。
【０００９】
図１から図４に示されるように本発明の第１実施例において、隔離キャビティーを具えた注射器１００が提供され、それは中空構造を具えた主体１１０とプランジャアセンブリ１２０を包含する。プランジャアセンブリ１２０は主体１１０の中空構造内にプラグイン（ｐｌｕｇ−ｉｎ）される。上述の主体１１０の中空構造は特定外径を具えた第１側壁１１０Ａと第１特定内径を具えた第２側壁１１０Ｂで形成される。主体１１０の第１端は第１特定内径を具えた開口１１０Ｃとされ、主体１１０の第２端は外向きに延伸されて第２特定内径を具えたノズル１３０を形成している。そのうち、第２特定内径は第１特定内径より小さい。上述のプランジャアセンブリ１２０は長直桿１７０、少なくとも二つの第１特定内径を具えたピストンヘッド（第１ピストンヘッド１８０Ａ、第２ピストンヘッド１８０Ｂ）、及び少なくとも二つの係止部品１９０を包含する。上述の長直桿１７０の第１端はプランジャアセンブリ１２０を押し引きする押し引き部分１７０Ａとされ、且つ長直桿１７０の第２端は第１ピストンヘッド１８０Ａと接続され、そのうち、第１ピストンヘッド１８０Ａは主体１１０の開口１１０Ｃに近い位置に位置し、且つ上述の第２ピストンヘッド１８０Ｂは中空構造内にあって第１ピストンヘッド１８０Ａと特定距離を維持する位置に位置し、これにより主体１１０の中空構造を区画し第１隔離キャビティー１４０Ａと第２隔離キャビティー１４０Ｂを構成している。上述の第２隔離キャビティー１４０Ｂは第２特定内径を具えたノズル１３０と連通し、且つ第２隔離キャビティー１４０Ｂは少なくとも一つの導流路１５０を具え、少なくとも一つの導流路１５０は第２隔離キャビティー１４０Ｂがある主体１１０の第２側壁１１０Ｂの表面上に形成された凹溝状トレンチ１５０Ａとされ、そのうち、そのうち、凹溝状トレンチ１５０Ａの厚さは第１特定内径と特定外径の差の値より小さくなければならない。このほか、上述の少なくとも一つの導流路１５０はまた連通管１５０Ｂとされて流体を案内するものとされ得て、この連通管１５０Ｂの両端はそれぞれ第２隔離キャビティー１４０Ｂがある主体１１０の第１側壁１１０Ａと第２側壁１１０Ｂの表面を貫通して第２隔離キャビティー１４０Ｂの内部に連通する。
【００１０】
図１から図４に示されるように、本実施例中、上述の第２ピストンヘッド１８０Ｂの厚さは凹溝状トレンチ１５０Ａの長さ或いは第２隔離キャビティー１４０Ｂに連通する連通管１５０Ｂの両端距離より小さく、且つ第１ピストンヘッド１８０Ａと第２ピストンヘッド１８０Ｂの総厚さは凹溝状トレンチ１５０Ａの長さ或いは第２隔離キャビティー１４０Ｂに連通する連通管１５０Ｂの両端距離より大きい。図５に示されるように、上述の少なくとも二つの係止部品１９０／１９０Ａは長直桿１７０の側壁の対向位置に設けられ、長直桿１７０は少なくとも二つの係止部品１９０／１９０Ａにより主体１１０の開口１１０Ｃの表面に圧接して少なくとも二つのピストンヘッド（第１ピストンヘッド１８０Ａ、第２ピストンヘッド１８０Ｂ）が外力の影響がない状態で第１隔離キャビティー１４０Ａと第２隔離キャビティー１４０Ｂ内の真空負圧の牽引により自己押動するのが防止されている。また、少なくとも二つの係止部品１９０／１９０Ｂは一組の弾性アセンブリ１９５Ａと少なくとも二つの側翼１９５Ｂにより長直桿１７０の内部空間中に構成されたものとされ得て、且つ長直桿１７０の側壁の対向位置に少なくとも二つの孔１７０Ｂが設けられて、少なくとも二つの側翼１９５Ｂが少なくとも二つの孔１７０Ｂ中で伸縮可能とされる。上述の少なくとも二つの係止部品１９０／１９０Ｂはまた直接長直桿１７０の外表面に形成されたフック構造とされ得て、使用時に直接このフック構造が切断破壊される。このほか、本実施例は複数のピストンヘッドにより複数の隔離キャビティーが形成され得て、隔離キャビティーの数は実質上、複数のピストンヘッドの総数であり、且つ各隔離キャビティーは少なくとも一つの導流路を具え、これは図６に示されるとおりである。
【００１１】
本実施例中、隔離キャビティーを具えた注射器１００の使用情況は図７から図９に示されるようである。まず、粉剤を主体１１０の中空構造内に挿入する。続いて、プランジャアセンブリ１２０を主体１１０の開口１１０Ｃにプラグインし、並びに外力をプランジャアセンブリ１２０の押し引き部分１７０Ａに、第２ピストンヘッド１８０Ｂが所定位置に至り第１隔離キャビティー１４０Ａと第２隔離キャビティー１４０Ｂが形成されるまで加える。その後、プランジャアセンブリ１２０の長直桿１７０を取り出し、第２ピストンヘッド１８０Ｂを主体１１０の中空構造内に保留し、粉剤を包含する第２隔離キャビティー１４０Ｂを形成し、並びに流体を主体１１０内の第２ピストンヘッド１８０Ｂに封鎖されてない中空構造部分に注入する。その後、外力をプランジャアセンブリ１２０の押し引き部分１７０Ａに加えてプランジャアセンブリ１２０の長直桿１７０を、少なくとも二つの係止部品１９０により主体１１０の開口１１０Ｃの表面に圧接させ、流体を包含する第１隔離キャビティー１４０Ａを形成する。
【００１２】
操作者がこの隔離キャビティーを具えた注射器１００を使用したい時には、まず少なくとも二つの係止部品１９０／１９０Ａを破壊するか或いは少なくとも二つの係止部品１９０／１９０Ｂを長直桿１７０内に収容して圧力をプランジャアセンブリ１２０の押し引き部分１７０Ａに印加する。第１隔離キャビティー１４０Ａと第２隔離キャビティー１４０Ｂ内には真空圧力が存在するため、第２ピストンヘッド１８０Ｂはプランジャアセンブリ１２０の推進により第２隔離キャビティー１４０Ｂの空間を圧縮する。第２ピストンヘッド１８０Ｂがプランジャアセンブリ１２０の推進により完全に少なくとも一つの導流路１５０範囲に進入するか或いは少なくとも一つの導流路１５０のそのうちの一端口より露出する時、第２隔離キャビティー１４０Ｂ内の真空が破壊されて第２ピストンヘッド１８０Ｂが停滞し不動となる。この時、第１ピストンヘッド１８０Ａは外力の影響を受けて続いて推進し且つ第１隔離キャビティー１４０Ａの空間の圧縮を開始し、並びに第１隔離キャビティー１４０Ａの流体を少なくとも一つの導流路１５０を通り第２隔離キャビティー１４０Ｂ内に進入させ粉剤と混合させる。完全に第１隔離キャビティー１４０Ａの空間が圧縮された後、第１ピストンヘッド１８０Ａは第２ピストンヘッド１８０Ｂに緊密に当接し、並びに外力により続いて第２隔離キャビティー１４０Ｂの空間を圧縮し、これにより主体１１０のノズル１３０を通り混合液が注射される。完全に第２隔離キャビティー１４０Ｂの空間が圧縮された後、混合液は完全に主体１１０外に注射される。
【００１３】
図１０から図１３に示されるように、本発明の第２実施例において、隔離キャビティーを具えた注射器２００が提供され、それは中空構造を具えた主体２１０とプランジャアセンブリ２２０を包含する。プランジャアセンブリ２２０は主体２１０の中空構造内にプラグイン（ｐｌｕｇ−ｉｎ）される。上述の主体２１０の中空構造は特定外径を具えた第１側壁２１０Ａと第１特定内径を具えた第２側壁２１０Ｂで形成される。主体２１０の第１端は第１特定内径を具えた開口２１０Ｃとされ、主体２１０の第２端は外向きに延伸されて第２特定内径を具えたノズル２３０を形成している。そのうち、第２特定内径は第１特定内径より小さい。上述の中空構造の第２側壁２１０Ｂの表面に少なくとも一つのガイドレール２５０が設けられ、各ガイドレール２５０はさらに少なくとも一つの第１凸柱２５０Ａと少なくとも一つの第２凸柱２５０Ｂを包含し、少なくとも一つの第１凸柱２５０Ａと少なくとも一つの第２凸柱２５０Ｂは同一直線上に位置し、そのうち、少なくとも一つの第１凸柱２５０Ａと少なくとも一つの第２凸柱２５０Ｂの間に第１特定距離２６０Ａがあり、第２側壁２１０Ｂの一部表面を露出させている。
【００１４】
図１０から図１３に示されるように、本実施例では、上述のプランジャアセンブリ２２０が長直桿２７０、少なくとも二つの第１特定内径を具えたピストンヘッド（第１ピストンヘッド２８０Ａ、第２ピストンヘッド２８０Ｂ）、及び少なくとも二つの係止部品２９０を包含する。上述の長直桿２７０の第１端はプランジャアセンブリ２２０を押し引きする押し引き部分２７０Ａとされ、且つ長直桿２７０の第２端は第１ピストンヘッド２８０Ａと接続され、そのうち、第１ピストンヘッド２８０Ａと第２ピストンヘッド２８０Ｂの表面にそれぞれ少なくとも一つの凹溝２８０Ｃが設けられて少なくとも一つの第１凸柱２５０Ａと少なくとも一つの第２凸柱２５０Ｂと嵌合する。上述の第１ピストンヘッド２８０Ａは主体２１０の開口２１０Ｃに近い位置に位置し、且つ上述の第２ピストンヘッド２８０Ｂは中空構造内にあって第１ピストンヘッド２８０Ａと第２特定距離２６０Ｂを維持する位置に位置し、これにより主体２１０の中空構造を区画し第１隔離キャビティー２４０Ａと第２隔離キャビティー２４０Ｂを構成している。そのうち第２特定距離２６０Ｂは第１隔離キャビティー２４０Ａの長さとされる。
【００１５】
図１０から図１３に示されるように、本実施例にあって、上述の第２隔離キャビティー２４０Ｂは第２特定内径を具えたノズル２３０と連通し、且つ第２隔離キャビティー２４０Ｂは一部の第１凸柱２５０Ａ、第１特定距離２６０Ａと少なくとも一つの第２凸柱２５０Ｂがある主体２１０の一部中空構造とされる。そのうち、第２ピストンヘッド２８０Ｂの厚さは第１特定距離２６０Ａの長さより小さく、且つ第１ピストンヘッド２８０Ａと第２ピストンヘッド２８０Ｂの総厚さより第１特定距離２６０Ａの長さ大きくなければならない。このほか、第１隔離キャビティー２４０Ａは一部第１凸柱２５０Ａがある主体２１０の一部中空構造を包含する。上述の少なくとも二つの係止部品２９０／２９０Ａは長直桿２７０の側壁の対向位置に形成され、長直桿２７０は少なくとも二つの係止部品２９０／２９０Ａにより主体２１０の開口２１０Ｃの表面に圧接して少なくとも二つのピストンヘッド（第１ピストンヘッド２８０Ａ、第２ピストンヘッド２８０Ｂ）が外力の影響がない状態で第１隔離キャビティー２４０Ａと第２隔離キャビティー２４０Ｂ内の真空負圧の牽引により自己押動するのが防止されている。また、少なくとも二つの係止部品２９０／２９０Ｂは一組の弾性アセンブリ２９５Ａと少なくとも二つの側翼２９５Ｂにより長直桿２７０の内部空間中に構成されたものとされ得て、且つ長直桿２７０の側壁の対向位置に少なくとも二つの孔２７０Ｂが設けられて、少なくとも二つの側翼２９５Ｂが少なくとも二つの孔２７０Ｂ中で伸縮可能とされる。このほか図１４に示されるように、本実施例は複数のピストンヘッドにより複数の隔離キャビティーが形成され得て、隔離キャビティーの数は実質上、複数のピストンヘッドの総数であり、且つ各隔離キャビティーは少なくとも一つの第２凸柱を具え、且つ第２凸柱の間は第１特定距離で相互に離間されている。
【００１６】
本実施例中、隔離キャビティーを具えた注射器２００の使用情況は図１５から図１７に示されるようである。まず、粉剤を主体２１０の中空構造内に挿入する。続いて、主体２１０の開口２１０Ｃに沿って第１ピストンヘッド２８０Ａと第２ピストンヘッド２８０Ｂの少なくとも一つの凹溝２８０Ｃと第２側壁２１０Ｂ上の少なくとも一つの第１凸柱２５０Ａを相互に嵌合させ、並びに外力をプランジャアセンブリ２２０の押し引き部分２７０Ａに、第２ピストンヘッド２８０Ｂが所定位置に至るまで加える。その後、プランジャアセンブリ２２０の長直桿２７０を取り出し、第２ピストンヘッド２８０Ｂを主体２１０の中空構造内に保留し、粉剤を包含する第２隔離キャビティー２４０Ｂを形成し、並びに流体を主体２１０内の第２ピストンヘッド２８０Ｂに封鎖されてない中空構造部分に注入する。その後、外力をプランジャアセンブリ２２０の押し引き部分２７０Ａに加えて第１ピストンヘッド２８０Ａと第２ピストンヘッド２８０Ｂを少なくとも一つの第１凸柱２５０Ａに沿ってプランジャアセンブリ２２０の長直桿２７０までスライドさせ、少なくとも二つの係止部品２９０により主体２１０の開口２１０Ｃの表面に圧接させて流体を包含する第１隔離キャビティー２４０Ａと粉剤を包含する第２隔離キャビティー２４０Ｂを形成する。
【００１７】
操作者がこの隔離キャビティーを具えた注射器２００を使用したい時には、まず少なくとも二つの係止部品２９０／２９０Ａを破壊するか或いは少なくとも二つの係止部品２９０／２９０Ｂを長直桿２７０内に収容して圧力をプランジャアセンブリ２２０の押し引き部分２７０Ａに印加する。第１隔離キャビティー２４０Ａと第２隔離キャビティー２４０Ｂ内には真空圧力が存在するため、第２ピストンヘッド２８０Ｂはプランジャアセンブリ２２０の推進により第２隔離キャビティー２４０Ｂの空間を圧縮する。第２ピストンヘッド２８０Ｂがプランジャアセンブリ２２０の推進に伴い完全に少なくとも一つの第１凸柱２５０Ａを離脱し並びに第１特定距離２６０Ａのある主体２１０の一部中空構造範囲に進入する時、第２隔離キャビティー２４０Ｂ内の真空が破壊され並びに第２ピストンヘッド２８０Ｂが停滞し不動となる。この時、第１ピストンヘッド２８０Ａは外力の影響を受けて少なくとも一つの第１凸柱２５０Ａに沿って続いて推進され且つ第１隔離キャビティー２４０Ａの空間の圧縮を開始し、並びに第１隔離キャビティー２４０Ａの流体を第２ピストンヘッド２８０Ｂの少なくとも一つの凹溝２８０Ｃと第２側壁２１０Ｂの形成する管路を通して第２隔離キャビティー２４０Ｂ内に流入させて粉剤と混合する。完全に第１隔離キャビティー２４０Ａの空間が圧縮された後、第１ピストンヘッド２８０Ａは第２ピストンヘッド２８０Ｂに緊密に当接し、並びに外力により続いて第２隔離キャビティー２４０Ｂの空間を圧縮し、これにより主体２１０のノズル２３０を通り混合液が注射され、また、第１ピストンヘッド２８０Ａと第２ピストンヘッド２８０Ｂの少なくとも一つの凹溝２８０Ｃが少なくとも一つの第２凸柱２５０Ｂと嵌合する。完全に第２隔離キャビティー２４０Ｂの空間が圧縮された後、混合液は完全に主体２１０外に注射される。
【００１８】
図１８から図２１に示されるように、本発明の第３実施例において、隔離キャビティーを具えた注射器３００が提供され、それは中空構造を具えた主体３１０とプランジャアセンブリ３２０を包含する。プランジャアセンブリ３２０は主体３１０の中空構造内にプラグイン（ｐｌｕｇ−ｉｎ）される。上述の主体３１０の中空構造は特定外径を具えた第１側壁３１０Ａと第１特定内径を具えた第２側壁３１０Ｂで形成される。主体３１０の第１端は第１特定内径を具えた開口３１０Ｃとされ、主体３１０の第２端は外向きに延伸されて第２特定内径を具えたノズル３３０を形成している。そのうち、第２特定内径は第１特定内径より小さい。上述の中空構造の第２側壁３１０Ｂの表面に図示されるような少なくとも一つの突起３５０が形成されている。
【００１９】
図１８から図２１に示されるように、本実施例では、上述のプランジャアセンブリ３２０が長直桿３７０、少なくとも二つの第１特定内径を具えたピストンヘッド（第１ピストンヘッド３８０Ａ、第２ピストンヘッド３８０Ｂ）、及び少なくとも二つの係止部品３９０を包含する。上述の長直桿３７０の第１端はプランジャアセンブリ３２０を押し引きする押し引き部分３７０Ａとされ、且つ長直桿３７０の第２端は第１ピストンヘッド３８０Ａと接続されている。上述の第１ピストンヘッド３８０Ａは主体３１０の開口３１０Ｃに近い位置に位置し、且つ上述の第２ピストンヘッド３８０Ｂは中空構造内にあって第１ピストンヘッド３８０Ａと第２特定距離２６０Ｂを維持する位置に位置し、これにより主体３１０の中空構造を区画し第１隔離キャビティー２４０Ａと第２隔離キャビティー２４０Ｂを構成している。
【００２０】
図１８から図２１に示されるように、本実施例にあって、上述の第２隔離キャビティー３４０Ｂは第２特定内径を具えたノズル３３０と連通し、且つ第２隔離キャビティー３４０Ｂは少なくとも一つの突起３５０のある主体３１０の一部中空構造とされる。上述の少なくとも二つの係止部品３９０／３９０Ａは長直桿３７０の側壁の対向位置に形成され、長直桿３７０は少なくとも二つの係止部品３９０／３９０Ａにより主体３１０の開口３１０Ｃの表面に圧接して少なくとも二つのピストンヘッド（第１ピストンヘッド３８０Ａ、第２ピストンヘッド３８０Ｂ）が外力の影響がない状態で第１隔離キャビティー３４０Ａと第２隔離キャビティー３４０Ｂ内の真空負圧の牽引により自己押動するのが防止されている。また、少なくとも二つの係止部品３９０／３９０Ｂは一組の弾性アセンブリ３９５Ａと少なくとも二つの側翼３９５Ｂにより長直桿３７０の内部空間中に構成されたものとされ得て、且つ長直桿３７０の側壁の対向位置に少なくとも二つの孔３７０Ｂが設けられて、側翼３９５Ｂが孔３７０Ｂ中で伸縮可能とされる。
【００２１】
本実施例中、隔離キャビティーを具えた注射器３００の使用情況は図２３から図２４に示されるようである。まず、粉剤を主体３１０の中空構造内に挿入する。続いて、主体３１０の開口３１０Ｃに沿ってプランジャアセンブリ３２０を主体３１０の中空構造内に挿入し、並びに外力をプランジャアセンブリ３２０の押し引き部分３７０Ａに、第２ピストンヘッド３８０Ｂが所定位置に至るまで加える。その後、プランジャアセンブリ３２０の長直桿３７０を取り出し、第２ピストンヘッド３８０Ｂを主体３１０の中空構造内に保留し、粉剤を包含する第２隔離キャビティー３４０Ｂを形成し、並びに流体を主体３１０内の第２ピストンヘッド３８０Ｂに封鎖されてない中空構造部分に注入する。その後、外力をプランジャアセンブリ３２０の押し引き部分３７０Ａに加えて第１ピストンヘッド３８０Ａと第２ピストンヘッド３８０Ｂを主体３１０の中空構造の第２側壁に沿ってスライドさせ、プランジャアセンブリ３２０の長直桿３７０を少なくとも二つの係止部品３９０により緊密に主体３１０の開口３１０Ｃの表面に圧接させて流体を包含する第１隔離キャビティー３４０Ａと粉剤を包含する第２隔離キャビティー３４０Ｂを形成する。そのうち、少なくとも一つの突起３５０は第２隔離キャビティー３４０Ｂ内に位置する。
【００２２】
操作者がこの隔離キャビティーを具えた注射器３００を使用したい時には、まず少なくとも二つの係止部品３９０／３９０Ａを破壊するか或いは少なくとも二つの係止部品３９０／３９０Ｂを長直桿３７０内に収容して圧力をプランジャアセンブリ３２０の押し引き部分３７０Ａに印加する。第１隔離キャビティー３４０Ａと第２隔離キャビティー３４０Ｂ内には真空圧力が存在するため、第２ピストンヘッド３８０Ｂはプランジャアセンブリ３２０の推進により第２隔離キャビティー３４０Ｂの空間を圧縮する。第２ピストンヘッド３８０Ｂがプランジャアセンブリ３２０の推進に伴い少なくとも一つの突起３５０に接触する時、第２ピストンヘッド３８０Ｂが少なくとも一つの突起３５０の押圧作用を受けて変形し、これにより第２ピストンヘッド３８０Ｂと第２側壁の両表面の間に凸導流路が形成されて第２隔離キャビティー３４０Ｂ内の真空が破壊され並びに第２ピストンヘッド３８０Ｂが停滞し不動となる。この時、第１ピストンヘッド３８０Ａは外力の影響を受けて続いて推進され、且つ第１隔離キャビティー３４０Ａの空間の圧縮を開始し、並びに第１隔離キャビティー３４０Ａの流体を少なくとも一つの突起３５０と第２ピストンヘッド３８０Ｂの形成する凸導流路を通して第２隔離キャビティー３４０Ｂ内に流入させて粉剤と混合する。完全に第１隔離キャビティー３４０Ａの空間が圧縮された後、第１ピストンヘッド３８０Ａは第２ピストンヘッド３８０Ｂに緊密に当接し、並びに外力により続いて第２隔離キャビティー３４０Ｂの空間を圧縮し、これにより主体３１０のノズル３３０を通り混合液が注射され、また、第２ピストンヘッド３８０Ｂと第１ピストンヘッド３８０Ａが順に少なくとも一つの突起３５０を離脱し、並びに原形に回復する。完全に第２隔離キャビティー３４０Ｂの空間が圧縮された後、混合液は完全に主体３１０外に注射される。
【００２３】
上述の実施例のほか、本発明のもう一つの重点は以下のようである。本発明の隔離キャビティー数は実質上、複数のピストンヘッド総数に相当し、且つ各隔離キャビティーは少なくとも一つの導流路を具えている。当然、本発明は医療用の注射器に応用されるほか、任意の生化学、化学、化学工業の注射器に応用可能である。且つ本発明の提供する隔離キャビティーを具えた注射器は関係領域において使用されていない。以上の実施例に基づき、本発明は多くの修正と差異を有し得る。これにより、その付加の権利請求項の範囲内での理解されるように、上述の詳細な説明のほか、本発明は更に広くその他の実施例で実施可能である。上述したものは僅かに本発明の好ましい実施例に過ぎず、本発明の請求範囲を限定するためのものではなく、その他の本発明に提示された精神下で完成しうる等価の改変或いは修飾は、いずれも本発明の特許請求の範囲内に属するものとする。
【図面の簡単な説明】
【００２４】
【図１】本発明の第１実施例の隔離キャビティーを具えた注射器の機構断面図である。
【図２】本発明の第１実施例の隔離キャビティーを具えた注射器の機構断面図である。
【図３】本発明の第１実施例の隔離キャビティーを具えた注射器の機構断面図である。
【図４】本発明の第１実施例の隔離キャビティーを具えた注射器の機構断面図である。
【図５】本発明の第１実施例の隔離キャビティーを具えた注射器の機構断面図である。
【図６】本発明の第１実施例の隔離キャビティーを具えた注射器の機構断面図である。
【図７】本発明の第１実施例の隔離キャビティーを具えた注射器の操作表示図である。
【図８】本発明の第１実施例の隔離キャビティーを具えた注射器の操作表示図である。
【図９】本発明の第１実施例の隔離キャビティーを具えた注射器の操作表示図である。
【図１０】本発明の第２実施例の隔離キャビティーを具えた注射器の主体の機構断面図である。
【図１１】本発明の第２実施例の隔離キャビティーを具えた注射器の主体の機構断面図である。
【図１２】本発明の第２実施例の隔離キャビティーを具えた注射器の主体の機構断面図である。
【図１３】本発明の第２実施例の隔離キャビティーを具えた注射器の主体の機構断面図である。
【図１４】本発明の第２実施例の隔離キャビティーを具えた注射器の主体の機構断面図である。
【図１５】本発明の第２実施例の隔離キャビティーを具えた注射器の操作表示図である。
【図１６】本発明の第２実施例の隔離キャビティーを具えた注射器の操作表示図である。
【図１７】本発明の第２実施例の隔離キャビティーを具えた注射器の操作表示図である。
【図１８】本発明の第３実施例の隔離キャビティーを具えた注射器の主体の機構断面図である。
【図１９】本発明の第３実施例の隔離キャビティーを具えた注射器の主体の機構断面図である。
【図２０】本発明の第３実施例の隔離キャビティーを具えた注射器の主体の機構断面図である。
【図２１】本発明の第３実施例の隔離キャビティーを具えた注射器の主体の機構断面図である。
【図２２】本発明の第３実施例の隔離キャビティーを具えた注射器の操作表示図である。
【図２３】本発明の第３実施例の隔離キャビティーを具えた注射器の操作表示図である。
【図２４】本発明の第３実施例の隔離キャビティーを具えた注射器の操作表示図である。
【符号の説明】
【００２５】
１００  隔離キャビティーを具えた注射器
１１０  主体                              １１０Ａ  第１側壁
１１０Ｂ  第２側壁                        １１０Ｃ  開口
１２０  プランジャアセンブリ              １３０  ノズル
１４０Ａ  第１隔離キャビティー            １４０Ｂ  第２隔離キャビティー
１５０  導流路                            １５０Ａ  凹溝状トレンチ
１５０Ｂ  連通管                          １７０  長直桿
１７０Ａ  押し引き部分                    １７０Ｂ  孔
１８０Ａ  第１ピストンヘッド              １８０Ｂ  第２ピストンヘッド
１９０／１９０Ａ／１９０Ｂ  係止部品
１９５Ａ  弾性アセンブリ                  １９５Ｂ  側翼
２００  隔離キャビティーを具えた注射器
２１０  主体                              ２１０Ａ  第１側壁
２１０Ｂ  第２側壁                        ２１０Ｃ  開口
２２０  プランジャアセンブリ              ２３０  ノズル
２４０Ａ  第１隔離キャビティー            ２４０Ｂ  第２隔離キャビティー
２５０  ガイドレール                      ２５０Ａ  第１凸柱
２５０Ｂ  第２凸柱                        ２６０Ａ  第１特定距離
２６０Ｂ  第２特定距離                    ２７０  長直桿
２７０Ａ  押し引き部分                    ２７０Ｂ  孔
２８０Ａ  第１ピストンヘッド              ２８０Ｂ  第２ピストンヘッド
２８０Ｃ  凹溝                            ２９０／２９０Ａ／２９０Ｂ  係止部品
２９５Ａ  弾性アセンブリ                  ２９５Ｂ  側翼
３００  隔離キャビティーを具えた注射器
３１０  主体                              ３２０  プランジャアセンブリ
３１０Ａ  第１側壁                        ３１０Ｂ  第２側壁
３１０Ｃ  開口                            ３３０  ノズル
３４０Ａ  第１隔離キャビティー            ３４０Ｂ  第２隔離キャビティー
３５０  突起                              ３７０  長直桿
３７０Ａ  押し引き部分                    ３７０Ｂ  孔
３８０Ａ  ピストンヘッド                  ３８０Ｂ  ピストンヘッド
３９０／３９０Ａ／３９０Ｂ  係止部品
３９５Ａ  弾性アセンブリ                  ３９５Ｂ  側翼
【図１】
2006026403.tif 000003
【図２】
2006026403.tif 000004
【図３】
2006026403.tif 000005
【図４】
2006026403.tif 000006
【図５】
2006026403.tif 000007
【図６】
2006026403.tif 000008
【図７】
2006026403.tif 000009
【図８】
2006026403.tif 000010
【図９】
2006026403.tif 000011
【図１０】
2006026403.tif 000012
【図１１】
2006026403.tif 000013
【図１２】
2006026403.tif 000014
【図１３】
2006026403.tif 000015
【図１４】
2006026403.tif 000016
【図１５】
2006026403.tif 000017
【図１６】
2006026403.tif 000018
【図１７】
2006026403.tif 000019
【図１８】
2006026403.tif 000020
【図１９】
2006026403.tif 000021
【図２０】
2006026403.tif 000022
【図２１】
2006026403.tif 000023
【図２２】
2006026403.tif 000024
【図２３】
2006026403.tif 000025
【図２４】
2006026403.tif 000026